(57)【要約】【課題】  必要以上にＦＡＮを動作させない画像処理装置を提供する。【解決手段】  ハードディスクを搭載した画像処理装置において、ハードディスクの冷却のためにＦＡＮが搭載された場合のＦＡＮの制御を、ハードディスクのＳＭＡＲＴ機能の１つである温度情報を取得して行う。【選択図】  図５
2006167968.tif 000002
【特許請求の範囲】
【請求項１】
画像処理装置のプログラムや画像データを記憶する磁気記憶手段と、
磁気記憶手段を冷却するための冷却手段と、
画像処理装置の制御を行う制御手段とを有する画像処理装置において、
前記制御手段は、前記磁気記憶手段の温度情報を取得するため前記磁気記憶手段へコマンドを送信し、取得した前記温度情報によって前記冷却手段の制御を切り替えることを特徴とする画像処理装置。
【請求項２】
前記磁気記憶手段はハードディスクであり、温度情報はハードディスクのＳＭＡＲＴ情報を使用することを特徴とする請求項１記載の画像処理装置。
【請求項３】
前記磁気記憶手段は着脱可能であることを特徴とする請求項１記載の画像処理装置。
【発明の詳細な説明】
【技術分野】
【０００１】
本発明は、画像処理装置に関する。
【背景技術】
【０００２】
従来、画像処理装置は原稿をスキャナなどで読み取り、複写（コピー）を行うコピー機能、パーソナルコンピュータ（ＰＣ）からネットワークを介して画像処理装置に対して画像データを入力し、プリントアウトするプリント機能を備えたデジタル複写機が知られている。デジタル複写機は、この機能のほかにも原稿の画像データを読み取り、記憶装置に記憶した後、画像データをＰＣへ送信する画像データ送信機能（ＳＥＮＤ機能）や公衆回線を利用するファクシミリ（ＦＡＸ）機能など多数の機能を有している。
【０００３】
この種のデジタル複写機では、上述のように多機能な構成を実現するためその構成が複雑になってきている。特に、ソフト構造の複雑化によるプログラムの増大、画像データの記憶のために記憶装置の容量の増大が求められており、ハードディスクドライブ（以下、ＨＤＤとする。）を搭載する構成が必須となっている。
【０００４】
また、セキュリティの観点から高価なＨＤＤを盗まれないように、また内部のユーザデータを盗まれないようにデジタル複写機を使用していないときには、ＨＤＤをユーザが簡単に取り外せるように構成されているものが提案されている。
【０００５】
ユーザが簡単に取り外せるようなＨＤＤ配置にするとデジタル複写機の全面部に単独で設置される。一方、ＨＤＤはその構造上、安定動作条件である温度環境特性が厳しい事が知られている。一般的には、動作時の保証周囲温度が５℃から５５℃程度である。そのためＨＤＤを冷却するための冷却ＦＡＮおよびＨＤＤの温度を知るための熱電対等を設置してＨＤＤの保証周囲温度を保つように構成する。しかしながら、上述のような構成では制御が複雑で高価になってしまうという問題があった。
【０００６】
一方、ＨＤＤにはＳＭＡＲＴ（Ｓｅｌｆ−Ｍｏｎｉｔｏｒｉｎｇ  Ａｎａｌｙｓｉｓ  ａｎｄ  Ｒｅｐｏｒｔｉｎｇ  Ｔｅｃｈｎｏｌｏｇｙ）と呼ばれる機能が付加されている。ＳＭＡＲＴ情報とは、ＨＤＤの信頼性悪化の危険を上位システムが知ることができる機能で、実測値と補正値のパラメータを監視／蓄積することでＨＤＤの品質劣化や損失の状態可能性を予知しようというものである（例えば、非特許文献１参照。）。その履歴データとして、電源投入回数、ＨＤＤ装置内温度履歴、シークエラー履歴などが挙げられるが、詳細な説明は周知の技術であるため割愛する。
【非特許文献１】岡村博司、「ハードディスク装置の構造と応用」、ＣＱ出版社、２００２年５月１日
【発明の開示】
【発明が解決しようとする課題】
【０００７】
上記問題に鑑み、本発明では、デジタル複写機に搭載されるＨＤＤの安定動作条件である温度環境特性を満たすためにＳＭＡＲＴ情報を使用してＦＡＮの制御を実施する。同時に、ＨＤＤのセキュリティを確保するため、ユーザが任意にＨＤＤを取り外せる安価な構成を実現することを目的とする。
【課題を解決するための手段】
【０００８】
上記目的を達成するための本発明の請求項１記載の構成は、画像処理装置のプログラムや画像データを記憶する磁気記憶手段と、磁気記憶手段を冷却するための冷却手段と、画像処理装置の制御を行う制御手段とを有する画像処理装置において、前記制御手段は、前記磁気記憶手段の温度情報を取得するため前記磁気記憶手段へコマンドを送信し、取得した前記温度情報によって前記冷却手段の制御を切り替えることを特徴とする。
【０００９】
また、上記目的を達成するための本発明の請求項２記載の構成は、前記磁気記憶手段はハードディスクであり、温度情報はハードディスクのＳＭＡＲＴ情報を使用することを特徴とする。
【００１０】
また、上記目的を達成するための本発明の請求項３記載の構成は、前記磁気記憶手段は着脱可能であることを特徴とする。
【発明の効果】
【００１１】
必要以上にＦＡＮを動作させることがないため、省エネ効果が期待できる。通常の温度のセンサーを搭載する必要がないため、安価で取り外しやすい構成が実現できる。
【発明を実施するための最良の形態】
【００１２】
以下、図面を参照して、本発明を適用した画像処理装置の一実施形態を説明する。
【００１３】
以下の説明の順序としては、まず複写機全体の概略構成について簡単に説明し、次に本発明を適用した内容について詳しく説明する。
【００１４】
［複写機の概略構成］
まず、図１を用いて、画像処理装置としての複写機の概略構成について簡単に説明する。
【００１５】
図１に示すように、複写機本体５０の上部には、代表的な自動原稿供給装置（ＡＤＦ）１が開閉可能に設置されている。この自動原稿供給装置１では、上方に配置された積載トレイ２上に積載された原稿Ｐが、順次その最上紙から一枚毎に分離給紙され、複写機本体５０の読取位置である流し読みプラテンガラス（プラテン）に搬送され、搬送しながら原稿の画像を読み込まれ、該画像の読み込みが終了すると排紙トレイ３に排紙積載される。尚、この自動原稿供給装置１の詳細については後述する。
【００１６】
複写機本体５０は、読取手段であるところのリーダ部６０と、記録手段であるところのプリンタ部７０により構成されている。
【００１７】
リーダ部６０は、原稿Ｐに記録された画像情報を光学的に読み取り、光電変換して画像データとして入力するものであり、流し読みプラテン５１、ブックプラテン５２、ランプ６１とミラー６２を有するスキャナユニット６３、ミラー６４，６５、レンズ６６、イメージセンサ６７等を有している。自動原稿供給装置１を使用して原稿を読み込む際にはスキャナユニット６３を読取位置５３に停止して、流し読みプラテン５１上を移動する原稿の画像を読み込み、自動原稿供給装置１を使用しない場合は、プラテン５２に載置される原稿の画像をスキャナユニット６３の移動により読み込む。
【００１８】
プリンタ部７０は、周知の静電潜像画像形成を用いた画像形成手段である。このプリンタ部７０において、７１は上段カセットで、カセット内の記録媒体であるところのシートは分離爪と給送ローラ７２の作用によって一枚ずつ分離給送されてレジストローラ７７に導かれる。７３は下段カセットで、カセット内のシートは分離爪と給送ローラ７４の作用によって一枚ずつ分離給送されてレジストローラ７７に導かれる。７５は手差しガイドで、一枚ずつシートがローラ７６を介してレジストローラ７７に導かれる。７８はシートデッキで、モータ等により昇降する中板７８ａを備え、中板上のシートは、給送ローラ７９と分離爪の作用により一枚ずつ分離給送されて搬送ローラ８０に導かれ、該搬送ローラ８０によりレジストローラ７７に導かれる。
【００１９】
また、８１は感光体ドラム、８２はドラム表面を均一に帯電させる一次帯電器、８３はドラム表面に画像光（画像情報）を照射し静電潜像を形成する光学ユニット、８４はドラム表面に画像情報に応じたトナー像を形成する現像器、８５はドラム表面のトナー像をシートに転写する転写帯電器、８６は分離帯電器、８７は転写後にドラム表面の残留したトナーを除去するクリーニング器であり、画像形成部を構成する。
【００２０】
更に、８８は画像形成されたシートを搬送する搬送ベルト、８９は転写されたトナー像をシートに定着する定着装置、９０は搬送ローラ、９１はダイバータである。画像形成されたシートはダイバータ９１によって排出ローラ９２に導かれ、ソータ９３内に搬送される。ソータ９３は、ノンソートトレイ９４、ソートビントレイ９５ｂ、ノンソートトレイ排出ローラ９６、ソートビントレイ排出ローラ９７を有し、ノンソートトレイ９４とソートビントレイ９５が昇降してシートを一段ずつ区分けする。尚、ソータ９３に代わって、排出トレイを装着する場合もある。
【００２１】
また、両面複写、多重複写の場合には、定着後のシートはダイバータ９１により分岐されて搬送ローラ１０１により搬送され、両面複写の場合、ベルト１０２，１０４、パス１０６、排出ローラ１０５を経て中間トレイ１００に排出される。１０９，１１０はシートを給送する半月ローラ、１１１は分離ローラ対、１１３，１１４，１１５はシートをレジストローラ７７へ搬送する搬送ローラである。
【００２２】
ＨＤＤ格納部５００は、複写機本体５０前面部に施錠可能な開閉扉が設けられ、ユーザが任意に図示しないＨＤＤ３０４を取り外せるように構成されている。詳細な説明は後述する。
【００２３】
［複写機コントローラ部のハードブロック図］
図２は複写機５０を制御するコントローラ部の構成２００を示す。ＣＰＵ（中央演算処理装置）３０１は複写機５０の全体を制御し、ＲＯＭ（リードオンリーメモリ）３０２はプログラムを格納し、ＲＡＭ（ランダムアクセスメモリ）３０３はデータの作業域等に使用される。ＨＤＤ３０４はプログラムの格納および画像データを記憶する。ビデオ入力Ｉ／Ｆ（インターフェース）３０５、ビデオ出力Ｉ／Ｆ３０６は、スキャナ制御部３０８およびプリンタ制御部３０９との入出力用のデータを画像処理部３０７を介して通信を行う。ＵＩ（ユーザインターフェース）３１０はユーザが様々な機能の設定を実現できる設定用のタッチパネルであり、ＦＡＸ（ファクシミリ）ボード３１１、公衆回線（ＰＳＴＮ）３１２でＦＡＸ機能を実現する。ネットワークインターフェースカード（ＮＩＣ）３１３は外部ＰＣなどと接続されプリント機能などを実現する。その他、画像データの圧縮及び伸張を行う圧縮伸張回路３１４、ＰＣＩ／Ｆ（ＰＣインターフェース）３１５、ＰＣケーブル３１６である。冷却用ＦＡＮ制御部３１７は、後述するＦＡＮ５０２を制御する駆動部でＣＰＵ３０１によって制御される。
【００２４】
［複写機コントローラ部のソフト構造］
図３は複写機５０のコントローラ部のソフト構造を示すもので、図２のＣＰＵ３０１により制御される。ここで、複写機５０のアプリケーションプログラム４０１で、コピー（複写）、ＦＡＸ（ファクシミリ通信）、スキャン（画像読取）、プリント（印刷）等のアプリケーションプログラム群が位置するブロックである。
【００２５】
アプリケーションプログラムインターフェース（ＡＰＩ）４０２で、アプリケーション４０１とジョブ制御４０３のインターフェースである。
【００２６】
ジョブ制御４０３は、上記のコピー、ＦＡＸ、スキャン、プリント等のジョブを制御するプログラム群が位置するブロックである。
【００２７】
デバイスドライバインターフェース４０４は、ジョブ制御４０３とデバイスドライバ４０５のインターフェース（ＤＤＩ）である。
【００２８】
デバイスドライバプログラム郡４０５は、それらに制御されるデバイス群４０５‘で、スキャナドライバ４０６はスキャナ４１３を制御し、プリンタドライバ４０７はプリンタ３０９を制御し、画像処理ドライバ４０８は画像処理部３０７を制御し、ＦＡＸドライバ４０９はＦＡＸボード３１１を制御し、ＵＩドライバ４１０はＵＩ３１０を制御し、Ｎ／Ｗドライバ４１２はＮ／Ｗカード（ＮＩＣ）３１３を制御する。
【００２９】
［ＨＤＤ格納部５００の構成例］
図４は、図１で説明したＨＤＤ格納部５００の構成例の詳細を示すもので、ユーザが任意にＨＤＤ３０４を取り外せるように構成されている。開閉扉５０１は、施錠可能でユーザが鍵を所有して開閉できるもの、ＵＩ（ユーザインターフェース）３１０より認証用の暗号を入力して開閉できる構成などこれに限ったものではない。ＨＤＤ３０４を管理するユーザは開閉扉５０１を自由に開け閉めし、容易にＨＤＤ３０４を装着、取り外しできる。冷却用ＦＡＮ５０２は、複写機５０の側面に設けられＨＤＤ３０４の安定動作条件である温度環境特性を満たすために、ＨＤＤ格納部５００の熱を外部に出すように配置されている。
【００３０】
［ＨＤＤ３０４のＦＡＮ５０２の制御］
図５のフローチャートを用いて、本発明であるＨＤＤ３０４の冷却用ＦＡＮ５０２の制御に関して詳細に説明する。ＣＰＵ３０１は複数のタスクを同時に管理でき、ＨＤＤ温度監視シーケンス（Ｓ６００）もその中のタスクの１つであり、ＣＰＵ３０１が動作中は幾度もタスクが繰り返される。ＣＰＵ３０１は、ＨＤＤ３０４内部のＳＭＡＲＴ情報の１つである温度情報を取得するためのコマンドを実行する。温度情報は、現在のＨＤＤ温度（摂氏）および過去の最小／最大温度を取得できる（Ｓ６０１）。ＨＤＤ３０４の温度を取得すると、ＣＰＵ３０１は現在のＨＤＤ温度が３５℃より熱いかを比較する（Ｓ６０２）。３５℃は任意の値であり各ＨＤＤの動作時の温度条件を満たせる温度を設定する。現在のＨＤＤ温度が３５℃より小さい場合には、ＣＰＵ３０１はＨＤＤ３０４が適正な温度で動作していると判断すると同時にＦＡＮをＯＦＦし動作させない（Ｓ６０３）。現在のＨＤＤ温度が３５℃より大きい場合には、ＣＰＵ３０１はＨＤＤ３０４の温度が上がってきていると判断し、ＦＡＮをＯＮし動作させる（Ｓ６０４）。
【図面の簡単な説明】
【００３１】
【図１】複写機の概略断面図
【図２】複写機コントローラ部のハードブロック図
【図３】複写機コントローラ部のソフト構造
【図４】ＨＤＤ格納部５００の構成図
【図５】ＨＤＤ３０４のＦＡＮ５０２の制御を示すフローチャート
【図１】
2006167968.tif 000003
【図２】
2006167968.tif 000004
【図３】
2006167968.tif 000005
【図４】
2006167968.tif 000006
【図５】
2006167968.tif 000007